(57)【要約】本発明は、高密度光ディスク及びそれによる再生／記録方法並びにその装置に係り、高密度光ディスクのリードイン領域に貯蔵されるデータをＨＦＭグルーブと連関性を有する一直線形状のプリピット列に記録して、一つの高密度光ディスクの全体領域に対して同一なトラッキングサーボ動作が連続的に遂行されることができるようにすることによって、トラッキングサーボのためのアルゴリズムが領域毎に変わってまたこれを具現する装置が複雑になることを效率的に防止することができる。
2005539339.tif 000002
【特許請求の範囲】
【請求項１】
リードイン領域とデータ領域とリードアウト領域とから構成され、
前記リードイン領域のうち特定領域には、マークとスペースが繰り返される一直線形状のピット列が設けられ、
前記マーク又は前記スペースのうちいずれか一つは最小ピット長さで記録されていることを特徴とする高密度再生専用光ディスク。
【請求項２】
前記特定領域には、前記高密度再生専用光ディスクの主要情報が記録されていることを特徴とする請求項１に記載の高密度再生専用光ディスク。
【請求項３】
前記特定領域は、高密度書換え可能光ディスクのリードイン領域のうちディスクの主要情報が永久的に貯蔵されるＰＩＣ領域に対応する領域であることを特徴とする請求項１に記載の高密度再生専用光ディスク。
【請求項４】
前記高密度再生専用光ディスクは、ブルーレイディスクＲＯＭであり、前記高密度書換え可能光ディスクは、書換え可能なブルーレイディスクであることを特徴とする請求項３に記載の高密度再生専用光ディスク。
【請求項５】
前記マークと前記スペースは、所定の記録区間内に、該記録区間に対応するデータの値によってそれぞれ相異なる固有のピット長さで反復記録されることを特徴とする請求項１に記載の高密度再生専用光ディスク。
【請求項６】
前記マークと前記スペースは、前記記録区間を代表するデータの値に関係なく、各対のピット長さ合計が一定なことを特徴とする請求項５に記載の高密度再生専用光ディスク。
【請求項７】
バイフェーズ高周波変調グルーブと連関性を有するプリピット列の形状で、リードイン領域に記録されたデータを読み出すステップと、
前記読み出したデータを参照してユーザー情報領域に記録されたデータを再生するステップと
を有することを特徴とする光記録媒体のデータ再生方法。
【請求項８】
前記プリピット列は、一直線形状であることを特徴とする請求項７に記載の光記録媒体のデータ再生方法。
【請求項９】
前記リードイン領域に記録されたデータを読み出すためのサーボ動作と、前記ユーザー情報領域に記録されたデータを読み出すためのサーボ動作とが同一であることを特徴とする請求項７に記載の光記録媒体のデータ再生方法。
【請求項１０】
前記サーボ動作は、ＤＰＤ方式であることを特徴とする請求項９に記載の光記録媒体のデータ再生方法。
【請求項１１】
データをリードイン領域にバイフェーズ高周波変調グルーブと連関性を有するピット列の形状で記録するステップと、
ユーザーデータをユーザー情報領域に一直線形状のピット列に記録するステップと
を有することを特徴とする光記録媒体のデータ記録方法。
【請求項１２】
前記ピット列は、一直線形状であることを特徴とする請求項１１に記載の光記録媒体のデータ記録方法。
【請求項１３】
データがバイフェーズ高周波変調グルーブと連関性を有するプリピット列の形状で記録されたリードイン領域と、
データが一直線形状のプリピット列に記録されたユーザー情報領域と
を備えたことを特徴とする光記録媒体。
【請求項１４】
前記リードイン領域のプリピット列は、一直線形状であることを特徴とする請求項１３に記載の光記録媒体。
【請求項１５】
前記リードイン領域に記録されたプリピット列のマークとスペースのうちいずれか一つは最小ピット長さで構成されていることを特徴とする請求項１３に記載の光記録媒体。
【請求項１６】
リードイン領域から読み出すデータを参照にして、バイフェーズ高周波変調グルーブと連関性を有するプリピット列の形状でリードイン領域に記録されたデータと、一直線形状のプリピット列でユーザー情報領域に記録されたデータとを読むためのサーボ手段と、
該サーボ手段を制御するための制御手段と
を備えたことを特徴とする光記録媒体のデータ再生装置。
【発明の詳細な説明】
【技術分野】
【０００１】
本発明は、高密度光ディスク及びデータ再生／記録方法並びにその装置に関し、より詳細には、大容量のビデオ及びオーディオデータが貯蔵されるブルーレイディスク（Ｂｌｕ−ｒａｙ  Ｄｉｓｃ）のような高密度光ディスク及びそれによる再生／記録方法並びにその装置に関する。
【背景技術】
【０００２】
近年、長時間の高画質ビデオデータと高音質オーディオデータを記録することができる新しい高密度光ディスク、例えば、図１に示すような再記録（書換え）可能なブルーレイディスク（Ｂｌｕ−ｒａｙ  Ｄｉｓｃ；以下、ＢＤ−ＲＥという）に対する規格化作業が急速に進展するによって、関連製品が開発されて商用化されることと期待されている。
【０００３】
このようなＢＤ−ＲＥは、ディスクの内周には、クランピング領域（Ｃｌａｍｐｉｎｇ  Ａｒｅａ）と、トランジション領域（Ｔｒａｎｓｉｔｉｏｎ  Ａｒｅａ）とＢＣＡ領域とリードイン領域（Ｌｅａｄ−Ｉｎ  Ａｒｅａ）とが順に存在し、ディスクの中心と外周にはデータ領域（Ｄａｔａ  Ａｒｅａ）とリードアウト領域（Ｌｅａｄ−Ｏｕｔ  Ａｒｅａ）とがそれぞれ存在するディスク構造を有している。
【０００４】
また、リードイン領域には、第１ガード（Ｇｕａｒｄ  １）領域と、ＰＩＣ（Ｐｅｒｍａｎｅｎｔ  Ｉｎｆｏｒｍａｔｉｏｎ  ＆  Ｃｏｎｔｒｏｌ  ｄａｔａ）領域と、第２ガード（Ｇｕａｒｄ  ２）領域と、情報２（Ｉｎｆｏ２）領域と、ＯＰＣ（Ｏｐｔｉｍｕｍ  Ｐｏｗｅｒ  Ｃｏｎｔｒｏｌ）領域などが区分されている。第１ガード領域とＰＩＣ領域とは、事前にデータがあらかじめ記録されている領域（Ｐｒｅ−ｒｅｃｏｒｄｅｄ  ａｒｅａ）である反面、その残りのリードイン領域とデータ領域とリードアウト領域とは、新しいデータが再記録される領域（Ｒｅｗｒｉｔａｂｌｅ  ａｒｅａ）である。
【０００５】
そして、ＰＩＣ領域は、永久的に保存されなければならないディスクの主要情報が貯蔵される領域であって、この主要情報が高周波変調（ＨＦＭ；Ｈｉｇｈ  Ｆｒｅｑｕｅｎｃｙ  Ｍｏｄｕｌａｔｅｄ）グルーブ（Ｇｒｏｏｖｅ）で記録される。このＨＦＭグルーブは、図２に示すように、バイフェーズ変調（Ｂｉ−Ｐｈａｓｅ  Ｍｏｄｕｌａｔｅｄ）方式により変調してディスク情報を貯蔵するようになっている。
【０００６】
例えば、‘３６Ｔ’の区間に同一な位相のグルーブだけある場合、その値が‘０’になり、‘３６Ｔ’の区間に他の位相のグルーブが共にある場合には、その値が‘１’になる。
【０００７】
一方、上述したように、ＰＩＣ領域に記録されたＨＦＭグルーブを追跡するためのトラッキングサーボは、広く知られたプッシュプル（Ｐｕｓｈ／Ｐｕｌｌ）方式を用いる。このために光ディスク装置には、図３に示すように、対物レンズ１０及びコリーメート（Ｃｏｌｌｉｍａｔｅ）レンズ１１を介して受光される光を電気信号に変換するための２分割受光素子（Ｐｈｏｔｏ  Ｄｅｔｅｃｔｏｒ）１２と、この２分割受光素子１２を介してそれぞれ光電変換された電気信号Ｅａ、Ｅｂを差動増幅するための差動増幅器１３とを備えている。
【０００８】
したがって、光ディスク装置では、差動増幅器１３を介して出力されるトラッキング誤差信号（ＴＥ＝Ｅａ−Ｅｂ）を参照して、ＨＦＭグルーブに対するトラッキングサーボ動作を遂行するようになる。また、データ領域とリードアウト領域に記録されるウォーブル（Ｗｏｂｂｌｅ）形状のグルーブに対しても、差動増幅器１３を介して出力されるトラッキング誤差信号（ＴＥ＝Ｅａ−Ｅｂ）を参照してトラッキングサーボ動作を遂行するようになる。
【０００９】
一方、ＢＤ−ＲＥとともに現在関連企業間で検討されている高密度再生専用光ディスク、例えば、ＢＤ−ＲＯＭ（Ｂｌｕ−ｒａｙ  Ｄｉｓｃ−ＲＯＭ）の場合、図４に示すように、ディスク内周にクランピング領域とリードイン領域が存在し、ディスクの中心と外周にはデータ領域とリードアウト領域がそれぞれ存在するディスク構造を有する。リードイン領域には、ＢＤ−ＲＥでのようにＨＦＭグルーブ方式でディスク情報が記録され、また、データ領域及びリードアウト領域には、通常的なＣＤ−ＲＯＭ又はＤＶＤ−ＲＯＭなどでのようにプリピット（Ｐｒｅ−Ｐｉｔ）列のデータが貯蔵されるディスク構造を有している。
【００１０】
プリピット列に対するトラッキングサーボには、ＤＰＤ（Ｄｉｆｆｅｒｅｎｔｉａｌ  Ｐｈａｓｅ  Ｄｅｔｅｃｔｉｏｎ）方式が適用される。このＤＰＤ方式が適用される光ディスク装置は、図５に示すように、対物レンズ２０及びコリーメートレンズ２１を介して受光される光を電気信号に変換するための４分割受光素子２２と、この４分割受光素子２２を介してそれぞれ光電変換された電気信号Ｅａ、Ｅｂ、Ｅｃ、Ｅｄの位相を検出して検出された位相信号を加算（ｓｕｍ）増幅及び差動増幅するための複数の位相検出器２６，２７，２８，２９と、第１及び第２加算増幅器２３，２４と、差動増幅器２５とで構成されている。
【００１１】
現在検討中にあるＢＤ−ＲＯＭのリードイン領域にＢＤ−ＲＥでのようにＨＦＭ方式でディスク情報を記録するならば、ＨＦＭグルーブのトラッキングサーボのためのプッシュプル方式のトラッキングサーボと、データ領域及びリードアウト領域に記録されたプリピット列のトラッキングサーボのためのＤＰＤ方式のトラッキングサーボとがすべて必要になる。
【００１２】
また、リードイン領域にＨＦＭグルーブだけが存在してプリピット形状のデータが記録されていない場合、ＲＦ信号を利用したＰＬＬ動作を遂行することができなくなって、リードイン領域とデータ領域の連結付近で再生が断絶される問題点が発生するようになる。
【００１３】
したがって、光ディスク装置内に安着された一つのＢＤ−ＲＯＭに対して相異なるトラッキングサーボ動作、すなわち、プッシュプル方式のトラッキングサーボ動作とＤＰＤ方式のトラッキングサーボ動作をそれぞれ遂行しなければならないため、結局、複数のトラッキングサーボ制御のための複雑なアルゴリズムが必ず必要になり、また、光ディスク装置の大型化を招くという問題が発生する。
【発明の開示】
【発明が解決しようとする課題】
【００１４】
本発明は、このような問題に鑑みてなされたもので、その目的とするところは、高密度光ディスクのリードイン領域に貯蔵されるデータをＨＦＭグルーブと連関性を有する一直線形状のプリピット列に記録して、一つの高密度光ディスクの全体領域に対して同一なトラッキングサーボ動作が連続的に遂行されることができるようにするための高密度光ディスク及び再生／記録方法並びにその装置を提供することにある。
【課題を解決するための手段】
【００１５】
本発明は、このような目的を達成するためになされたもので、高密度再生専用光ディスクは、リードイン領域と、データ領域と、リードアウト領域とから構成され、前記リードイン領域のうち特定領域にはマークとスペースが繰り返される一直線形状のピット列が設けられ、前記マーク又は前記スペースのうちいずれか一つは最小ピット長さで記録されていることを特徴とする。
【００１６】
また、本発明による光記録媒体のデータ再生方法は、バイフェーズ高周波変調グルーブ（Ｂｉ−ｐｈａｓｅｄ  ＨＦＭ  Ｇｒｏｏｖｅ）と連関性を有するプリピット列の形状で、リードイン領域に記録されたデータを読み出すステップと、前記読み出したデータを参照してユーザー情報領域に記録されたデータを再生するステップとを有することを特徴とする。
【００１７】
また、本発明による光記録媒体のデータ記録方法は、データをリードイン領域にバイフェーズ高周波変調グルーブと連関性を有するピット列の形状で記録するステップと、ユーザーデータをユーザー情報領域に一直線形状のピット列に記録するステップとを有することを特徴とする。
【００１８】
また、本発明による光記録媒体は、データがバイフェーズ高周波変調グルーブと連関性を有するプリピット列の形状で記録されたリードイン領域と、データが一直線形状のプリピット列に記録されたユーザー情報領域とを備えたことを特徴とする。
【００１９】
また、本発明による光記録媒体のデータ再生装置は、リードイン領域から読み出すデータを参照にして、バイフェーズ高周波変調グルーブと連関性を有するプリピット列の形状でリードイン領域に記録されたデータと、一直線形状のプリピット列でユーザー情報領域に記録されたデータとを読むためのサーボ手段と、該サーボ手段を制御するための制御手段とを備えたことを特徴とする。
【発明を実施するための最良の形態】
【００２０】
以下、本発明による高密度光ディスク及びそれによる再生／記録方法並びにその装置に対する望ましい実施形態を、図面を参照しながら詳細に説明する。
【００２１】
図６は、本発明による高密度再生専用光ディスクのディスク構造の実施形態を示す図である。高密度再生専用光ディスク、例えば、ＢＤ−ＲＯＭ（Ｂｌｕ−ｒａｙ  Ｄｉｓｃ−ＲＯＭ）は、ディスク内周にクランピング領域（Ｃｌａｍｐｉｎｇ  Ａｒｅａ）とリードイン領域（Ｌｅａｄ−Ｉｎ  Ａｒｅａ）が存在し、ディスクの中心と外周には、データ領域（Ｄａｔａ  Ａｒｅａ）とリードアウト領域（Ｌｅａｄ−Ｏｕｔ  Ａｒｅａ）がそれぞれ存在するディスク構造を有している。
【００２２】
データ領域及びリードアウト領域には、通常的なＣＤ−ＲＯＭ又はＤＶＤ−ＲＯＭなどのように、プリピット列のデータが貯蔵されている。そして、リードイン領域にもＨＦＭグルーブと連関性を有する一直線形状のプリピット列が記録されて、一つの再生専用ブルーレイディスク（ＢＤ−ＲＯＭ）の全体領域に対して同一なトラッキングサーボ動作が連続的に遂行されることができるようになっている。
【００２３】
図７は、本発明による高密度再生専用光ディスク（ＢＤ−ＲＯＭ）のリードイン領域に記録されるピット列の記録パターンを示す図である。例えば、リードイン領域のうちＰＩＣ領域に永久的に貯蔵されるディスク情報（ＤＩ）は、図７に示すように、マーク（Ｍａｒｋ）とスペース（Ｓｐａｃｅ）、又はスペースとマークが対（Ｐａｉｒ）で繰り返される一直線形状のピット列に記録されている。
【００２４】
上述したように、対で反復記録されるマークとスペース又はスペースとマークは再記録可能ブルーレイディスク（ＢＤ−ＲＥ）の高周波変調したバイフェーズグルーブ（Ｂｉ−Ｐｈａｓｅ  Ｍｏｄｕｌａｔｅｄ  ＨＦＭ  ｇｒｏｏｖｅ）を基準にして記録される。すなわち、同一レベルの１８Ｔ区間又は３６Ｔ区間を基準単位にして、このデータシーケンスの値に相応する固有のピット長さで反復記録される。
【００２５】
この時、マーク又はスペースのうちいずれか一つは最小ピット長さ（Ｍｉｎｉｍｕｍ  Ｐｉｔ  Ｌｅｎｇｔｈ）である２Ｔ長さで記録して、トラッキングサーボ動作に必要な信号がさらに多く持続的に検出されることができるようにする。例えば、図７に示すように、‘データ  １’に該当するハイレベルの‘１８Ｔ’区間には、２Ｔ長さのマーク（２Ｔｍ）と７Ｔ長さのスペース（７Ｔｓ）を対で２回反復記録し、ローレベルの‘１８Ｔ’区間には、７Ｔ長さのマーク（７Ｔｍ）と２Ｔ長さのスペース（２Ｔｓ）を対で２回反復記録する。
【００２６】
また、‘データ  ０’に該当するハイレベルの‘３６Ｔ’区間には、２Ｔ長さのマーク（２Ｔｍ）と７Ｔ長さのスペース（７Ｔｓ）を対で４回反復記録し、ローレベルの‘３６Ｔ’区間には、７Ｔ長さのマーク（７Ｔｍ）と２Ｔ長さのスペース（２Ｔｓ）を対で４回反復記録する。
【００２７】
すなわち、図８に示すように、‘０１’の値を有するデータシーケンスがリードイン領域に記録される場合、ハイレベルの１８Ｔ区間には、２Ｔｍ，７Ｔｓ，２Ｔｍ，７Ｔｓが記録され、その以後、ローレベルの１８Ｔ区間には、７Ｔｍ，２Ｔｓ，７Ｔｍ，２Ｔｓが記録さ、以後、ハイレベルの３６Ｔ記録区間に、２Ｔｍ，７Ｔｓ，２Ｔｍ，７Ｔｓ，２Ｔｍ，７Ｔｓ，２Ｔｍ，７Ｔｓが記録される。
【００２８】
したがって、光ディスク装置では、上述したような記録パターンのピット列データにより生成されるＲＦ信号を二進（Ｂｉｎａｒｙ）信号にサンプリングして、ハイレベルの３６Ｔ区間に対応する‘データ  ０’とローレベルの３６Ｔ区間に対応する‘データ  ０’をそれぞれ区別して認識するようになって、また、３６Ｔ区間内でレベル遷移が発生した‘データ  １’を区別して認識できるようになる。
【００２９】
一方、他の方法により‘データ  ０’又は‘データ  １’が表現されることもある。例えば、‘データ  ０’は３６Ｔ区間の中間でハイ（ｈｉｇｈ）状態からロー（ｌｏｗ）状態への遷移により表現されて、‘データ  １’は‘データ  ０’の遷移と反対遷移、すなわち、３６Ｔ区間の中間でロー状態からハイ状態への遷移により表現されることもある。この場合、‘データ  ０’又は‘データ  １’が同じデータ値‘データ  ０’又は‘データ  １’にそれぞれ隣接すれば、状態の遷移は３６Ｔ区間の中間と３６Ｔ区間の境界で発生して、同一な状態はただ１８Ｔ間だけ持続する。もしも‘データ  ０’又は‘データ  １’が他のデータ値‘データ  １’又は‘データ  ０’にそれぞれ隣接すれば、状態の遷移は３６Ｔ区間の境界では発生しなくてただ３６Ｔの中間でだけ発生する。このような方法によって、ディスク情報（ＤＩ）は、所定のマークとスペース対が繰り返される一直線形状のピット列に記録される。
【００３０】
また、図８に示すように構成される光ディスク装置によってＤＰＤ方式のトラッキングサーボ動作をリードイン領域に対しても適用することができるようになるので、結局、再生専用ブルーレイディスクの全体領域に対してＤＰＤ方式のトラッキングサーボ動作を連続的に遂行させることができるようになる。
【００３１】
例えば、マークとスペース対である２Ｔｍ／７Ｔｓ又は７Ｔｍ／２Ｔｓは、２Ｔｍ／４Ｔｓ又は４Ｔｍ／２Ｔｓなどで代替記録されることもできる。この場合、ハイレベルの１８Ｔ区間に２Ｔｍ／４Ｔｓが３回反復記録され、ローレベルの１８Ｔ区間には、４Ｔｍ／２Ｔｓが３回反復記録される。そして、ハイレベルの３６Ｔ区間には、２Ｔｍ／４Ｔｓが６回反復記録され、ローレベルの３６Ｔ区間には、４Ｔｍ／２Ｔｓが６回反復記録される。
【００３２】
上述した本発明の実施形態では高密度再生専用光ディスクを中心にして説明したが、本発明のデータ記録パターンは、記録型光ディスクにも適用が可能であり、これを通じて同一なサーボ動作を具現することができる。
【００３３】
したがって、上述したように構成される本発明による高密度光ディスク及びそれによる再生／記録方法並びにその装置は、トラッキングサーボのためのアルゴリズムが領域毎に変わってまたこれを具現する装置が複雑になることを效率的に防止することができる。
【００３４】
以上、上述した本発明の望ましい実施形態は例示の目的のために掲示されたことであって、特にプッシュプル方式のトラッキングサーボとＤＰＤ方式のトラッキングサーボは、既に広く知られた公知技術であって、当業者ならば本発明の実施形態を参照にして十分に容易実施できることである。また、特許請求の範囲に開示された本発明の技術的思想とその技術的範囲内で多様な他の実施形態を改良、変更、代替又は付加などが可能である。
【図面の簡単な説明】
【００３５】
【図１】従来の書換え可能光ディスク（ＢＤ−ＲＥ）に対するディスク構造を示す図である。
【図２】従来の書換え可能光ディスクのリードイン領域に変調記録されたＨＦＭグルーブの形状を示す図である。
【図３】従来の書換え可能光ディスク装置に適用されるプッシュプル方式のトラッキングサーボに対する構成を示す図である。
【図４】従来の高密度再生専用光ディスク（ＢＤ−ＲＯＭ）に対するディスク構造の実施形態を示す図である。
【図５】従来の光ディスク装置に適用されるＤＰＤ方式のトラッキングサーボに対する構成を示す図である。
【図６】本発明による高密度再生専用光ディスク（ＢＤ−ＲＯＭ）のディスク構造を示す図である。
【図７】本発明による高密度再生専用光ディスク（ＢＤ−ＲＯＭ）のリードイン領域に記録されるピット列の記録パターンを示す図である。
【図８】本発明による高密度再生専用光ディスクに適用されるＤＰＤ方式のトラッキングサーボに対する構成図である。
【図１】
2005539339.tif 000003
【図２】
2005539339.tif 000004
【図３】
2005539339.tif 000005
【図４】
2005539339.tif 000006
【図５】
2005539339.tif 000007
【図６】
2005539339.tif 000008
【図７】
2005539339.tif 000009
【図８】
2005539339.tif 000010
【国際調査報告】
2005539339.tif 000011